(57)【要約】【課題】排水ホースがルーフ部材の開閉動作に追従して変形及び移動しても、該排水ホースからの反力に耐え得る排水ホースの接続構造を提供する。【解決手段】リトラクタブルルーフ２を構成するバックウインドウ２３の下端縁部には下部バック用ウェザストリップ７３が延設されている。この下部バック用ウェザストリップ７３の、排水ホース８が接続される部分には、該下部バック用ウェザストリップ７３を補強するためのインサートパネル７５が内蔵されている。このインサートパネル７５には、排水ホース８の上流端が接続される受け皿部材８１が取り付けられている。【選択図】図１３
2007331680.tif 000002
【特許請求の範囲】
【請求項１】
車室を開閉可能な可動式のルーフ部材と、該ルーフ部材の端縁部に沿って延設され且つその延設方向に延びる排水溝を有するウェザストリップと、該ウェザストリップと車両側に設けられた車両側排水部とを接続する排水ホースとを備えた排水ホースの接続構造であって、
前記ウェザストリップの、前記排水ホースが接続される部分に内蔵され、該ウェザストリップを補強するためのインサートパネルと、
前記インサートパネルに対して取り付けられると共に前記排水ホースの上流端が接続されるホース接続部とをさらに備えることを特徴とする排水ホースの接続構造。
【請求項２】
請求項１に記載の排水ホースの接続構造において、
前記インサートパネルには、雌ネジ部又は雄ネジ部が設けられており、
前記ホース接続部は、前記インサートパネルに対してネジ締結によって取り付けられていることを特徴とする排水ホースの接続構造。
【請求項３】
請求項１に記載の排水ホースの接続構造において、
前記インサートパネルには、前記ホース接続部が嵌合される被嵌合部が形成され、
前記ホース接続部は、前記インサートパネルの前記被嵌合部に対して嵌合して取り付けられていることを特徴とする排水ホースの接続構造。
【請求項４】
車室を開閉可能な可動式のルーフ部材と、該ルーフ部材の端縁部に沿って延設され且つその延設方向に延びる排水溝を有するウェザストリップと、該ウェザストリップと車両側に設けられた車両側排水部とを接続する排水ホースとを備えた排水ホースの接続構造であって、
前記ウェザストリップの、前記排水ホースが接続される部分に内蔵され、該ウェザストリップを補強するためのインサートパネルと、
前記インサートパネルに一体形成されると共に前記排水ホースの上流端が接続されるホース接続部とをさらに備えることを特徴とする排水ホースの接続構造。
【発明の詳細な説明】
【技術分野】
【０００１】
本発明は、可動式のルーフ部材に設けられたウェザストリップに接続される排水ホースの接続構造に関するものである。
【背景技術】
【０００２】
従来より、車室を開閉可能な可動式のルーフ部材を備えた開閉ルーフが知られている（特許文献１参照）。
【０００３】
このようなルーフ部材は複数のルーフ構成部材で構成されており、特許文献１に係るルーフ部材は、車室の上方を覆うフロントルーフパネルと、車室の後方を覆うバックウインドウと、該バックウインドウとフロントルーフパネルとの間に配置されたミドルルーフパネルとで構成されている。そして、各ルーフ構成部材間や、各ルーフ構成部材とボディとの間には、ウェザストリップが介設され、ルーフ部材の閉状態において車室内を密閉して風雨から保護するように構成されている。
【０００４】
さらに詳しく説明すると、特許文献１に係る開閉ルーフにおいては、ミドルルーフパネルの下端縁部には該ミドルルーフパネルとボディ又はデッキパネルとの間をシールするミドル用ウェザストリップが、バックウインドウの下端縁部には該バックウインドウとボディ又はデッキパネルとの間をシールするバック用ウェザストリップがそれぞれ延設されている。また、各ウェザストリップは、延設方向に沿って略平行に延びる２本のシール部と該２本のシール部の間に形成された排水溝とを有している。さらに、ミドル用ウェザストリップの排水溝には排水孔が形成され、この排水孔には排水ホースの上流端が接続されている。この排水ホースはルーフ部材の車室内側にレイアウトされ、その下流端は車両側排水部に接続されている。
【０００５】
このように構成されたミドル用及びバック用ウェザストリップは、ルーフ部材の閉状態において、互いに接合されて一続きのウェザストリップを形成すると共に、各排水溝が連通するように構成されている。こうして、ミドル用及びバック用ウェザストリップは、ルーフ部材の閉状態において、ミドルルーフパネルの下端縁及びバックウインドウの下端縁とボディ及びデッキパネルとの間をシールすると共に、ウェザストリップへ流入する水を排水溝を介して前記排水孔まで案内して、前記排水ホースによって排水するように構成されている。
【特許文献１】特開２００３−５４２６５号公報
【発明の開示】
【発明が解決しようとする課題】
【０００６】
ところで、特許文献１に係る排水ホースは、その接続構造については詳述されていないが、上流端がミドルルーフパネルのウェザストリップに接続されている（特許文献１の図１参照）。そのため、ミドルルーフパネルが開閉動作を行うと、該排水ホースはミドルルーフパネルの開閉動作に追従して変形及び移動することになる。このように、排水ホースがミドルルーフパネルの開閉動作に追従する構成では、ウェザストリップにおける排水ホースの接続部は、該排水ホースがミドルルーフパネルに追従して変形及び移動する際の反力を受ける。
【０００７】
しかしながら、このウェザストリップはゴム等の弾性部材から形成されているため、変形及び移動する排水ホースからの反力に耐えきれず、該排水ホースの接続部も排水ホースの変形及び移動に伴って変形する。その結果、ミドルルーフパネルが開閉動作するときにウェザストリップの排水溝から車室内に水がこぼれ出したり、ルーフ部材が閉状態となったときにウェザストリップが変形したままの状態となって所望の２つの部材間をシールできなかったりする虞がある。さらに、ルーフ部材が開閉動作を繰り返すと、ウェザストリップが老朽化する虞があり、その結果、２つの部材間をシールするというウェザストリップ本来の機能を果たせなくなる虞もある。
【０００８】
本発明は、かかる点に鑑みてなされたものであり、その目的とするところは、排水ホースがルーフ部材の開閉動作に追従して変形及び移動しても、該排水ホースからの反力に耐え得る排水ホースの接続構造を提供することにある。
【課題を解決するための手段】
【０００９】
本発明は、排水ホースを、ウェザストリップに内蔵された、該ウェザストリップを補強するためのインサートパネルに対して接続するようにしたものである。
【００１０】
詳しくは、第１の発明は、車室を開閉可能な可動式のルーフ部材と、該ルーフ部材の端縁部に沿って延設され且つその延設方向に延びる排水溝を有するウェザストリップと、該ウェザストリップと車両側に設けられた車両側排水部とを接続する排水ホースとを備えた排水ホースの接続構造が対象である。そして、前記ウェザストリップの、前記排水ホースが接続される部分に内蔵され、該ウェザストリップを補強するためのインサートパネルと、前記インサートパネルに対して取り付けられると共に前記排水ホースの上流端が接続されるホース接続部とをさらに備えるものとする。
【００１１】
前記の構成の場合、前記ホース接続部をウェザストリップの補強するためのインサートパネルに対して取り付け、このインサートパネルに取り付けられたホース接続部に前記排水ホースの上流端を接続することによって、ルーフ部材の開閉動作に伴って排水ホースが変形及び移動しても、該排水ホースからの反力をインサートパネルで受け止めることができ、ウェザストリップが過度に変形することを防止することができる。
【００１２】
第２の発明は、第１の発明において、前記インサートパネルには、雌ネジ部又は雄ネジ部が設けられており、前記ホース接続部は、前記インサートパネルに対してネジ締結によって取り付けられているものとする。
【００１３】
前記の構成の場合、前記ホース接続部のインサートパネルに対する取付構造が具体的に特定される。そして、ホース接続部をインサートパネルに設けられた雌ネジ部又は雄ネジ部に対してネジ締結することによって、該ホース接続部を交換等するときには該ホース接続部を容易に着脱することができる。また、インサートパネルの雌ネジ部又は雄ネジ部に対応する形状であれば、ホース接続部の形状を自由に変更することができるため、インサートパネルの汎用性を向上させることができる。
【００１４】
第３の発明は、第１の発明において、前記インサートパネルには、前記ホース接続部が嵌合される被嵌合部が形成され、前記ホース接続部は、前記インサートパネルの前記被嵌合部に対して嵌合して取り付けられているものとする。
【００１５】
前記の構成の場合、ホース接続部をインサートパネルの前記被嵌合部に嵌合させることで該ホース接続部をインサートパネルに取り付けることによって、ネジ等の取り付けるための別の部品を設ける必要がなく、ホース接続部をインサートパネルに容易に取り付けることができる。
【００１６】
第４の発明は、車室を開閉可能な可動式のルーフ部材と、該ルーフ部材の端縁部に沿って延設され且つその延設方向に延びる排水溝を有するウェザストリップと、該ウェザストリップと車両側に設けられた車両側排水部とを接続する排水ホースとを備えた排水ホースの接続構造が対象である。そして、前記ウェザストリップの、前記排水ホースが接続される部分に内蔵され、該ウェザストリップを補強するためのインサートパネルと、前記インサートパネルに一体形成されると共に前記排水ホースの上流端が接続されるホース接続部とをさらに備えるものとする。
【００１７】
前記の構成の場合、前記ホース接続部をインサートパネルと一体形成すると共に、該ホース接続部に前記排水ホースの上流端を接続することによって、ルーフ部材の開閉動作に伴って排水ホースが変形及び移動しても、該排水ホースからの反力をインサートパネルで受け止めることができ、ウェザストリップが過度に変形することを防止することができる。それと共に、ホース接続部とインサートパネルとを一体形成することによって、該ホース接続部とインサートパネルとの接続強度を向上させることができると共に、ホース接続部をインサートパネルに対して取り付ける作業が必要なく、組立性を向上させることができる。
【発明の効果】
【００１８】
本発明によれば、前記ホース接続部をウェザストリップの補強するためのインサートパネルに対して取り付けると共に、このホース接続部に前記排水ホースの上流端を接続することによって、ルーフ部材の開閉動作に伴う排水ホースからの反力でウェザストリップが過度に変形することを防止することができ、その結果、ウェザストリップの排水溝から水がこぼれ出たり、ウェザストリップが変形してシール機能を発揮できなくなったりすることを防止することができる。
【発明を実施するための最良の形態】
【００１９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２０】
《発明の実施形態１》
図１，２は、本発明のリトラクタブルルーフが搭載された車両１を示す模式的な側面図である。リトラクタブルルーフ（ルーフ部材）２は、車室の上方を覆うフロントルーフパネル２１と、フロントルーフパネル２１の後方位置に配置されて車室の後方を覆うバックルーフパネル２２と、を含む。バックルーフパネル２２はさらに、透明性部材からなるバックウインドウ２３と、フロントルーフパネル２１とバックウインドウ２３との間に配置されて、車両１のピラーを構成するミドルルーフパネル２４と、を含む。
【００２１】
車両１の後部にはトランクルームが形成されており、その開口はトランクリッド１１によって開閉可能に閉塞されている。車室１３とトランクルームとの間には、前記リトラクタブルルーフ２が格納される格納室１２が、上方に開口して形成されている。
【００２２】
格納室１２の上端開口にはデッキリッド３が配設されている。このデッキリッド３は、リトラクタブルルーフ２が車室１３を覆っている状態（後述するルーフ２が使用位置にある状態）において、そのルーフ２の後端縁と格納室１２の開口縁との間に位置する。それによってデッキリッド３は、その部分において上方に開口する、格納室１２の上端開口を閉塞する。
【００２３】
前記リトラクタブルルーフ２は、図１，２では図示を省略するリンク機構によって、車室１３を覆う使用位置（図１参照）と、格納室１２に格納されて車室１３を開放する格納位置（図２参照）との間で位置変更される。また、前記デッキリッド３は、前記リトラクタブルルーフ２の位置変更を行うリンク機構とは別のリンク機構（図示省略）によって、格納室１２の上端開口の一部を覆う使用位置（図１，２参照）と、その使用位置に対して後方の斜め上方に退避して格納室１２の上端開口を開放する退避位置（図１の一点鎖線参照）との間で位置変更される。
【００２４】
ここで、リトラクタブルルーフ２の位置変更動作、つまりリトラクタブルルーフ２が車室１３を覆う状態から車室１３を開放する状態への切り換え動作について、図１，２を参照しながら簡単に説明する。まず、デッキリッド３が、リンク機構によって、図１に実線で示す使用位置から、一点鎖線で示す退避位置へと移動して、格納室１２の上端開口を開放する。これと同時に、リトラクタブルルーフ２のリンク機構が作動することによって、ミドルルーフパネル２４が所定の回転軸回りに後方へ回動し（図１において時計回り方向に回動し）、それに伴い、フロントルーフパネル２１は後方の斜め上方にスライド移動する。また、バックウインドウ２３は、ミドルルーフパネル２４に対して相対的に前方に移動しながら下方へ移動する（図１の一点鎖線参照）。
【００２５】
リトラクタブルルーフ２のリンク機構の作動がさらに継続することによって、図２に一部破線で示すように、フロントルーフパネル２１とミドルルーフパネル２４とが上下方向に折り重なった状態で、格納室１２内に収容される。このときにバックウインドウ２３は、車幅方向に延びる軸に沿って見て（図２に示す状態で見て）、ミドルルーフパネル２４と重なって配置される。
【００２６】
リトラクタブルルーフ２が格納室１２に格納された後に、デッキリッド３が、そのリンク機構の作動によって、退避位置から格納室１２の一部を閉塞する使用位置へと移動する。こうして、車室１３を開放する状態になる。
【００２７】
尚、リトラクタブルルーフ２が車室１３を開放した状態から車室１３を覆う状態への切り換え動作は、前記とは逆になる。
【００２８】
図３，４は、リトラクタブルルーフ２のリンク機構４を示している。このリンク機構４は、リトラクタブルルーフ２の内側において、車幅方向の両側位置それぞれに配置されている。尚、図３は、車幅方向右側に配置されたリンク機構４を車両１の左側方から見た側面図であり、図４は、車幅方向左側に配置されたリンク機構４を分解して示す斜視図である。
【００２９】
リンク機構４は基本的に、それぞれ、フロントルーフパネル２１に枢支結合されると共に、車体側部材に枢支結合される第１及び第２リンクからなる４節リンクを含んでいる。
【００３０】
リンク機構４は、本実施形態では電動式に構成されている。駆動源である駆動モータ４１は、車両１に対して固定されるメインブラケット４２に、ボルト等によって固定されている。メインブラケット４２は、略板状の部材であって、格納室１２内に配置されている。これによってメインブラケット４２は、リトラクタブルルーフ２が使用位置にある状態で、そのミドルルーフパネル２４の下方位置に相当する位置に位置する（図３参照）。
【００３１】
前記メインブラケット４２の車両外方側には、ロアアーム４３が取り付けられている。ロアアーム４３は、メインブラケット４２とベースプレート４１０とに挟持されることによって、メインブラケット４２に対して車幅方向に延びる回転軸Ｘ回りに回転可能に取り付けられる。
【００３２】
ロアアーム４３は、上下方向に延びるアーム部４３ａと、該アーム部４３ａの上端で屈曲して、後述するようにミドルルーフパネル２４に対して固定される固定部４３ｂとを、有している。また、アーム部４３ａの基端部分には、駆動モータ４１の駆動軸に取り付けられた駆動ギヤと噛み合う減速ギヤ４３ｃが固定されている。これによってロアアーム４３は、駆動モータ４１の駆動に伴い、図３に示すようにアーム部４３ａが起立する位置と、図７に示すようにアーム部４３ａが後方に倒伏する位置と、の間で、回転軸Ｘ回りに回動する。
【００３３】
メインブラケット４２にはまた、その上端近傍の後端部から後方の斜め上方に向かって延びるウインドウブラケットベース４１１が固定されている。このウインドウブラケットベース４１１の後端部には、ウインドウリンクレバー４４が枢支結合されている。
【００３４】
ウインドウリンクレバー４４には、その前端部と後端部とのそれぞれに貫通孔が形成されている。ウインドウリンクレバー４４は、その前端部の貫通孔にブッシュが内挿された状態で、ボルト等により前記ウインドウブラケットベース４１１の後端部に固定されている。これによって、ウインドウリンクレバー４４は、車幅方向に延びる軸回りに、ウインドウブラケットベース４１１に対して相対的に回動する。
【００３５】
バックウインドウ２３の車幅方向両端部には、ウインドウブラケット４１２が固定されている。ウインドウリンクレバー４４の後端部は、そのウインドウブラケット４１２の下端部に対して枢支結合されている。つまり、ウインドウリンクレバー４４は、その後端部の貫通孔にブッシュが内挿された状態で、ボルト等により前記ウインドウブラケット４１２の下端部に固定されている。これによって、ウインドウリンクレバー４４は、車幅方向に延びる軸回りに、ウインドウブラケット４１２、換言すればバックウインドウ２３に対して相対的に回動する。
【００３６】
ウインドウブラケット４１２の上端部には、前後方向に所定の間隔を開けて２つの取付孔が形成されている。この２つの取付孔に対して、それぞれ第１及び第２リンクレバー４５ａ，４５ｂが枢支結合されている。
【００３７】
第１及び第２リンクレバー４５ａ，４５ｂは、互いに略同じ長さのリンクレバーであって、リトラクタブルルーフ２が使用位置にある状態において、それぞれ前方に向かって登り勾配となる姿勢で、車両前後方向に並んで配置されている。この第１及び第２リンクレバー４５ａ，４５ｂはそれぞれ、その上端部と下端部とのそれぞれに貫通孔が形成されている。そして、第１及び第２リンクレバー４５ａ，４５ｂはそれぞれ、その下端部の貫通孔にブッシュが内挿された状態で、ボルト等により前記ウインドウブラケット４１２の上端部に固定されている。これによって第１及び第２リンクレバー４５ａ，４５ｂは、車幅方向に延びる軸回りに、ウインドウブラケット４１２に対して相対的に回動する。前記第１及び第２リンクレバー４５ａ，４５ｂは、換言すれば、バックウインドウ２３に枢支結合されている。
【００３８】
ミドルルーフパネル２４の上端部には、後述するように、フロントルーフパネル２１に向かって前方に延びるアッパーアーム４７が固定されている。前記第１及び第２リンクレバー４５ａ，４５ｂの上端部は、アッパーアーム４７に対して枢支結合されている。つまり、第１及び第２リンクレバー４５ａ，４５ｂはそれぞれ、その上端部の貫通孔にブッシュが内挿された状態で、ボルト等により前記アッパーアーム４７の後端部に固定されている。これによって、第１及び第２リンクレバー４５ａ，４５ｂは、車幅方向に延びる軸回りに、アッパーアーム４７対して相対的に回動する。前記第１及び第２リンクレバー４５ａ，４５ｂは、換言すれば、ミドルルーフパネル２４に枢支結合されている。
【００３９】
このように第１及び第２リンクレバー４５ａ，４５ｂは、ミドルルーフパネル２４とバックウインドウ２３とのそれぞれに対して枢支結合されている。このため、第１及び第２リンクレバー４５ａ，４５ｂは、ミドルルーフパネル２４とバックウインドウ２３との間に介在して、ミドルルーフパネル２４とバックウインドウ２３との相対的な移動を規制する４節リンク（第２の４節リンク４５）として機能する。
【００４０】
前記フロントルーフパネル２１の後端部近傍には、フロントルーフブラケット４１３が固定されている。前記アッパーアーム４７の前端部は、フロントルーフブラケット４１３に枢支結合されている。つまり、アッパーアーム４７には、その前端部に貫通孔が形成されており、アッパーアーム４７は、その貫通孔にブッシュが内挿された状態で、ボルト等によりフロントルーフブラケット４１３に対して固定されている。これによって、アッパーアーム４７は、車幅方向に延びる軸回りに、フロントルーフブラケット４１３に対して回動する。アッパーアーム４７は、換言すれば、フロントルーフパネル２１に対して枢支結合されている。
【００４１】
前記フロントルーフブラケット４１３には、アッパーアーム４７の枢支点（取付孔）よりも後方位置に、別の取付孔が形成されている。この取付孔には、コントロールリンク４８の上端部が枢支結合される。
【００４２】
コントロールリンク４８は、リトラクタブルルーフ２が使用位置にある状態で、前方に向かって登り勾配となる姿勢で配設されている。コントロールリンク４８には、その上端部と下端部とのそれぞれに貫通孔が形成されている。そうして、コントロールリンク４８は、その上端部の貫通孔内にブッシュが内挿された状態で、ボルト等により前記フロントルーフブラケット４１３の取付孔に固定されている。これによってコントロールリンク４８は、車幅方向に延びる軸回りに、フロントルーフパネル２１に対して相対的に回動する。コントロールリンク４８は、換言すれば、フロントルーフパネル２１に対して枢支結合されている。
【００４３】
前記第１リンクレバー４５ａには、その中間位置に取付孔が形成されている。コントロールリンク４８の下端部は、その取付孔に対して枢支結合されている。つまり、コントロールリンク４８は、その下端部の貫通孔内にブッシュが内挿された状態で、ボルト等により、第１リンクレバー４５ａの中間部分に固定されている。これによってコントロールリンク４８は、車幅方向に延びる軸回りに、第１リンクレバー４５ａに対して相対的に回動する。コントロールリンク４８は、換言すれば、第２の４節リンク４５に対して枢支結合されている。
【００４４】
以上説明したように、ミドルルーフパネル２４は、アッパーアーム４７を介してフロントルーフパネル２１に対して枢支結合されていると共に、ロアアーム４３を介してメインブラケット４２に枢支結合されている。これによって、ミドルルーフパネル２４は、４節リンクを構成する一対のリンクの内の一方のリンクとして機能する。また、この一方のリンクは、ロアアーム４３が駆動モータ４１によって駆動されることから、４節リンクにおける駆動リンクとして機能する。
【００４５】
一方、４節リンクを構成する一対のリンクの内の他方のリンク（従動リンク）は、ウインドウリンクレバー４４、バックウインドウ２３（ウインドウブラケット４１２）、第１及び第２リンクレバー４５ａ，４５ｂ、並びにコントロールリンク４８、を含んで構成される。
【００４６】
この構成のリトラクタブルルーフ２は、図３，５〜７に示すように動作して、使用位置から格納位置へ、とその位置を変更する。尚、図３は使用位置にある状態（閉状態）のリトラクタブルルーフ２を、図７は格納位置にある状態（開状態）のリトラクタブルルーフ２を、図５は使用位置から格納位置までの位置変更過程において、使用位置からおおよそ１／３の過程が経過した状態のリトラクタブルルーフ２を、図６は使用位置から格納位置までの位置変更過程において、使用位置からおおよそ２／３の過程が経過した状態のリトラクタブルルーフ２を、それぞれ示している。
【００４７】
まず、駆動モータ４１が駆動を開始することにより、減速ギヤ４３ｃによってトルクが増幅され、ロアアーム４３が、回転軸Ｘ回りに、図３における時計回り方向に回動を開始する。その回動に伴い、ミドルルーフパネル２４が時計回り方向に回動を開始する（図３，５参照）。
【００４８】
ミドルルーフパネル２４の回動に伴い、このミドルルーフパネル２４（アッパーアーム４７）と枢支結合されたフロントルーフパネル２１も、後方の斜め上方に移動するが、フロントルーフパネル２１にはコントロールリンク４８が枢支結合されている、換言すればフロントルーフパネル２１とメインブラケット４２との間には、４節リンクが構成されているため、フロントルーフパネル２１の移動軌跡は、所定の軌跡に規制される。
【００４９】
また、ミドルルーフパネル２４の回動に伴い、このミドルルーフパネル２４とバックウインドウ２３とは、第２の４節リンク４５によって相対移動を行う。つまり、バックウインドウ２３は、後方に回動するミドルルーフパネル２４に対して相対的に前方側に移動しながら、後方に回動する。
【００５０】
駆動モータ４１が駆動を継続することによって、ミドルルーフパネル２４は、ほぼ横向きに倒れた姿勢になる（図６参照）。フロントルーフパネル２１は、さらに後方に移動してミドルルーフパネル２４の上方に位置する。
【００５１】
駆動モータ４１がさらに駆動を継続することによって、ミドルルーフパネル２４は、さらに後方に回動して格納室１２内に収容される（図７参照）。これと共に、フロントルーフパネル２１が下方に移動し、格納室１２内においてミドルルーフパネル２４の直上に位置する。こうして、フロントルーフパネル２１とミドルルーフパネル２４とは、上下に折り重なった状態となる。また、バックウインドウ２３は、車幅方向に延びる軸に沿って見てミドルルーフパネル２４に対して重なった位置に配置される。
【００５２】
尚、リトラクタブルルーフ２は、前記とは逆の動きで、格納位置から使用位置へとその位置を変更する。
【００５３】
そして、この構成のリトラクタブルルーフ２においては、図１に示すように、フロントルーフパネル２１、ミドルルーフパネル２４及びバックウインドウ２３にはウエザストリップが設けられている。すなわち、フロントルーフパネル２１には、その前端縁部から側端縁部に亘ってフロントヘッダ１４及びサイドウインドウ１５との間をシールするためのフロント用ウェザストリップ５が設けられている。また、ミドルルーフパネル２４には、その前端縁部から側端縁部、下端縁部に亘ってフロントルーフパネル２１、サイドウインドウ１５及びデッキリッド３との間をシールするミドル用ウェザストリップ６が設けられている。さらに、バックウインドウ２３には、その全周縁部に亘ってミドルルーフパネル２４及びデッキリッド３との間をシールするバック用ウェザストリップ７が設けられている。さらにまた、車両１のボディにおける、ミドルルーフパネル２４の前下端縁部との当接部には、ミドルルーフパネル２４とボディとの間をシールするキャブサイドウェザストリップ７８が設けられている。尚、キャブサイドウェザストリップ７８には排水孔（図示省略）が形成されていると共に、キャブサイドウェザストリップ７８の下方位置であってリアフェンダ１６の車内側には該キャブサイドウェザストリップ７８の排水孔から落下する水を受けて車外に排水するドレンカバー７９が設けられている。
【００５４】
以下に、前記ミドル用ウェザストリップ６及びバック用ウェザストリップ７についてさらに詳しく説明する。
【００５５】
前記ミドル用ウェザストリップ６は、図８に示すように、フロントルーフパネル２１との間をシールする上部ミドル用ウェザストリップ６１と、左右のサイドウインドウ１５（図８では右側のみ図示）との間をシールする側部ミドル用ウェザストリップ６２（図８では右側のみ図示）と、デッキリッド３との間をシールする下部ミドル用ウェザストリップ６３とを含んでいる。
【００５６】
前記バック用ウェザストリップ７は、ミドルルーフパネル２４との間をシールする上部バック用ウェザストリップ７１及び側部バック用ウェザストリップ７２，７２と、デッキリッド３との間をシールする下部バック用ウェザストリップ７３とを含んでいる。
【００５７】
そして、リトラクタブルルーフ２の閉状態において、前記下部ミドル用ウェザストリップ６３と下部バック用ウェザストリップ７３とは、図９に示すように、接合されて一続きの下端縁ウェザストリップを構成する。リトラクタブルルーフ２が閉状態となるときには、前記バックウインドウ２３がミドルルーフパネル２４に対して車室内側から移動して閉状態となるため、下部バック用ウェザストリップ７３は、各下部ミドル用ウェザストリップ６３（図９では右側のみ図示）に対して車室内側から当接している。
【００５８】
前記ミドルルーフパネル２４は、図１０に示すように、アウタパネル２４ａとインナパネル２４ｂとを有しており、該アウタパネル２４ａに下部ミドル用ウェザストリップ６３が取り付けられている。詳しくは、下部ミドル用ウェザストリップ６３は、アウタパネル２４ａの下端縁部に沿って延びる中空状のシール部６３１と、該シール部６３１よりも外側に位置し且つ該シール部６３１と平行に延びるリップ部６３２と、該シール部６３１とリップ部６３２との間に形成されたミドル用排水溝６３３と、リップ部６３２の下端から該ミドル用排水溝６３３の底部と平行にアウタパネル２４ａの内方に折り返されて延びる折返し部６３４とを有する。そして、下部ミドル用ウェザストリップ６３は、前記ミドル用排水溝６３３の底部と折返し部６３４とでアウタパネル２４ａの下端縁部を挟み込むようにして、アウタパネル２４ａに取り付けられている。また、下部ミドル用ウェザストリップ６３の車両後側、即ちバックウインドウ側の端部においては、シール部６３１及びリップ部６３２がミドル用排水溝６３３の底部よりもバックウインドウ側に突出している（図９参照）。
【００５９】
前記バックウインドウ２３は、図１１に示すように、ウインドウ部材２３ａと該ウインドウ部材２３ａの周縁部に取り付けられたサポートフレーム２３ｂとを有しており、該サポートフレーム２３ｂに下部バック用ウェザストリップ７３が取り付けられている。詳しくは、下部バック用ウェザストリップ７３は、サポートフレーム２３ｂの下端縁部に沿って平行に延びる２本の中空状のシール部７３１，７３２と、該シール部７３１，７３２間に形成されたバック用排水溝７３３と、外側のシール部７３２の下端から該バック用排水溝７３３の底部と平行にサポートフレーム２３ｂの内方に折り返されて延びる折返し部７３４と、内側のシール部７３１の下端からサポートフレーム２３ｂの内方に延びる延設部７３５とを有する。そして、下部バック用ウェザストリップ７３は、延設部７３５をウインドウ部材２３ａとサポートフレーム２３ｂとの間に挿入し且つ、前記バック用排水溝７３３の底部と折返し部７３４とでサポートフレーム２３ｂの下端縁部を挟み込むようにしてサポートフレーム２３ｂに取り付けられる。
【００６０】
この下部バック用ウェザストリップ７３の端部の構成についてさらに詳しく説明する。尚、下部バック用ウェザストリップ７３の左右の端部は構成が同じであるため、図１２を参照して、右側の端部についてのみ説明する。
【００６１】
下部バック用ウェザストリップ７３の端部においては、内側のシール部７３１と外側のシール部７３２とがバック用排水溝７３３の上方で連結されている。そして、この連結部には前記下部ミドル用ウェザストリップ６３が接合される接合面７３６が形成されており、接合面７３６にはバック用排水溝７３３と連通する連通孔７３７が貫通形成されている。この接合面７３６は、下部ミドル用ウェザストリップ６３側の端部に向かって車室外側から内側へ傾斜する傾斜面となっている。
【００６２】
また、下部バック用ウェザストリップ７３の端部において、内側のシール部７３１には側部バック用ウェザストリップ７２が連結されている（図１２では、右側のみ図示）。側部バック用ウェザストリップ７２は、バックウインドウ２３の側端縁部に沿って平行に延びる２本のシール部７２１，７２２と、該シール部７２１，７２２の間に形成された側部排水溝７２３とを有する。また、側部バック用ウェザストリップ７２は、図示は省略するが、下部バック用ウェザストリップ７３と同様の取付構造によってバックウインドウ２３に取り付けられている。そして、この側部バック用ウェザストリップ７２の下端部は下部バック用ウェザストリップ７３の内側のシール部７３１に連結され、前記側部排水溝７２３を流れてきた水は、下部バック用ウェザストリップ７３のシール部７３１を乗り越えてバック用排水溝７３３に流れ込むように構成されている。
【００６３】
さらに、下部バック用ウェザストリップ７３は、接合面７３６よりも下部ミドル用ウェザストリップ６３側の部分には、接合面７３６よりも車室内側に陥没した水受け溝７３８が形成されている。この水受け溝７３８は、側部バック用ウェザストリップ７２の外側のシール部７２２の下端部から接合面７３６を囲むように延びて形成されている。水受け溝７３８には、図１３にも示すように、車室外側から車室内側に貫通する排水孔７４０が形成されている。
【００６４】
このように構成された下部バック用ウェザストリップ７３の端部は、サポートフレーム２３ｂよりもミドルルーフパネル２４側に突出した片持ち状態となっている。しかしながら、この下部バック用ウェザストリップ７３の端部は、リトラクタブルルーフ２が閉状態となるときには、下部ミドル用ウェザストリップ６３の端部と当接して接合されるため、その接合を確実に行うことができる程度の剛性が必要となる。そこで、この下部バック用ウェザストリップ７３の端部には、図１２，１３に示すように、金属製のインサートパネル７５が内蔵されている。
【００６５】
尚、下部ミドル用ウェザストリップ６３の、バックウインドウ２３側の端部にも、金属製のインサートパネル６５が内蔵されている。こうすることで、下部ミドル用ウェザストリップ６３の端部及び下部バック用ウェザストリップ７３の端部の剛性が強化され、リトラクタブルルーフ２が閉状態のときに、両方の端部が確実に当接して接合されることになる。
【００６６】
前記インサートパネル７５には、排水孔７４０を形成するための貫通孔７５２が貫通形成されている。また、インサートパネル７５には、後述する受け皿部材８１を取り付けるためのスタッドボルト７５３，７５３が車室内側に突出するように溶接されている。さらに、インサートパネル７５には、サポートフレーム２３ｂを取り付けるための取付孔７５４，７５４が貫通形成されている。
【００６７】
このように構成されたインサートパネル７５は、下部バック用ウェザストリップ７３の端部を成型する成形型内にインサートされて、下部バック用ウェザストリップ７３の端部と一体に成型される。こうして成型された下部バック用ウェザストリップ７３の端部の車室内側面からは、図１４に示すように、スタッドボルト７５３，７５３が突出している。
【００６８】
そして、下部バック用ウェザストリップ７３の端部の車室内側面には、図１３，１５に示すように、前記排水孔７４０を覆うように受け皿部材８１が取り付けられている。この受け皿部材８１は、底部が陥没した皿形状をしており、その開口端縁部にはフランジ部８１ａが形成されている。そして、受け皿部材８１は、フランジ部８１ａをスタッドボルト７５３，７５３とナット８２，８２とでネジ締結することで下部バック用ウェザストリップ７３に取り付けられている。つまり、受け皿部材８１は、下部バック用ウェザストリップ７３内のインサートパネル７５に取り付けられている。この受け皿部材８１がホース接続部に相当する。
【００６９】
さらに、インサートパネル７５は、取付孔７５４に嵌合されたスクリューグロメット７５５及び該スクリューグロメット７５５に螺合されるネジ７５６を介してサポートフレーム２３ｂにネジ締結されている。
【００７０】
前記受け皿部材８１には円筒状の接続管部８３が外方に突出して設けられており、この接続管部８３に排水ホース８の上流端が外嵌されて接続されている。この排水ホース８の上流端にはホースクリップ８４が取り付けられ、該排水ホース８が接続管部８３から抜けることを防止している。
【００７１】
前記排水ホース８は、ゴム製であって可撓性を有する。この排水ホース８の下流端は、図１６，１７に示すように、格納室１２と車室１３とを仕切る内装トリムであるリアサイドトリム１７に設けられた車両側排水部９に取り付けられている。
【００７２】
前記車両側排水部９は、リアサイドトリム１７に取り付けられた円筒部材９１と、該円筒部材９１のルーフ格納室側に突出する端部に設けられたキャップ９２と、該円筒部材９１の車室側に突出する端部に接続された車両側排水ホース９３とを有する。この車両側排水ホース９３は、リアサイドトリム１７の車室側面に複数箇所で取り付けられ、その下流端部はリアサイドトリム１７を貫通してルーフ格納室側に突出している。そして、図示は省略するが、格納室１２のフロアにおける、車両側排水ホース９３の下流端の下方位置には、該車両側排水ホース９３から排出される水を受けて車外に排出するフロア排出部が設けられている。
【００７３】
続いて、前記排水ホース８と車両側排水部９との接続構造について、図１８を参照して、さらに詳しく説明する。
【００７４】
前記キャップ９２は、排水ホース８の外径よりも大きな内径を有する挿通孔９２ａが形成されている。
【００７５】
そして、排水ホース８は、該キャップ９２の挿通孔９２ａを介して円筒部材９１内部に挿通されていると共に、その下流端には抜け止め部材８５が設けられている。この抜け止め部材８５は、円筒部材９１に嵌め合わされる大径部８５ａ，８５ｂが形成されている。これら大径部８５ａ，８５ｂの外径はキャップ９２の挿通孔９２ａの内径よりも大きくなっている。
【００７６】
その結果、車両側排水部９に接続された排水ホース８は、車両側排水部９に対して自在に回動できると共に、挿通孔９２ａから自在に出入りすることができる（図中の二点鎖線参照）。そして、抜け止め部材８５の大径部８５ａの外径がキャップ９２の挿通孔９２ａの内径よりも大きく形成されているため、該大径部８５ａがキャップ９２の挿通孔９２ａの開口縁部に引っ掛かって、該排水ホース８が車両側排水部９から抜け出さないように構成されている。この自在に出入りできる長さは、円筒部材９１の深さによって決まる。つまり、該深さを変えることで、排水ホース８が自在に出入りできる長さを所望の値に設定することができる。
【００７７】
このように、車両側排水部９に接続された排水ホース８は、その上流端がバックウインドウ２３に取り付けられているため、図１７，１９に示すように、該バックウインドウ２３の開閉動作に追従して変形することになる。このとき、バックウインドウ２３の開閉動作に伴って、バックウインドウ２３側の受け皿部材８１と車両側排水部９のキャップ９２との距離が変化すると共に、排水ホース８の軸が捻れる。ここで、排水ホース８は、挿通孔９２ａに対して回動自在且つ出入り自在に取り付けられているため、バックウインドウ２３の開閉動作に伴う受け皿部材８１とキャップ９２との距離の変化に応じて挿通孔９２ａに対して自在に出入りすると共に、排水ホース８の軸の捻れに応じて自在に回動することができる。
【００７８】
このように構成されたリトラクタブルルーフ２の排水構造、特に車両後部の排水構造による排水について説明すると、バックウインドウ２３の表面を伝う水及びミドルルーフパネル２４の表面を伝う水はそれぞれ下部バック用ウェザストリップ７３のバック用排水溝７３３及び下部ミドル用ウェザストリップ６３のミドル用排水溝６３３に流入する。また、各側部バック用ウェザストリップ７２の側部排水溝７２３を流通する水もバック用排水溝７３３に流入する。そして、バック用排水溝７３３に流入した水は、バック用排水溝７３３の左右の両端部において、各連通孔７３７を通じてミドル用排水溝６３３へ流入する。ミドル用排水溝６３３へ流入した水は、該ミドル用排水溝６３３の前端部まで流れ、該前端部からキャブサイドウェザストリップ７８へ流入し、該キャブサイドウェザストリップ７８からドレンカバー７９へ落下し、該ドレンカバー７９を介して車外に排水される。一方、受け皿部材８１へ流入した水は、排水ホース８を介して車両側排水部９へ導かれ、該車両側排水部９から車外へ排水される。
【００７９】
ここで、下部ミドル用ウェザストリップ６３と下部バック用ウェザストリップ７３との接合部において、バック用排水溝７３３を流通する水がミドル用排水溝６３３へ上手く流入せず、該下部ミドル用ウェザストリップ６３と下部バック用ウェザストリップ７３との間から漏れる場合がある。本実施形態では、下部バック用ウェザストリップ７３の端部には水受け溝７３８が設けられているため、その漏れた水は水受け溝７３８によって受け止められる。そして、水受け溝７３８に流入した水は、前記排水孔７４０から受け皿部材８１へ流入する。受け皿部材８１へ流入した水は、排水ホース８を介して車両側排水部９へ導かれ、該車両側排水部９から車外へ排水される。尚、バック用排水溝７３３及びミドル用排水溝６３３を流通する水は、該排水溝７３３，６３３から溢れ出る場合があるが、この溢れ出た水は、デッキリッド３の表面及びリアフェンダ１６の表面を伝って排水される。
【００８０】
したがって、本実施形態１によれば、バックウインドウ２３の開閉動作に伴って排水ホース８が変形及び移動しても、該排水ホース８の上流端が接続される受け皿部材８１が下部バック用ウェザストリップ７３に内蔵されたインサートパネル７５に取り付けられているため、排水ホース８からの反力を該インサートパネル７５で受け止めることができ、下部バック用ウェザストリップ７３が過度に変形することを防止することができる。
【００８１】
その結果、バックウインドウ２３が開閉動作するときに下部バック用ウェザストリップ７３の端部が大きく変形し、バック用排水溝７３３内に残留している水が車室内にこぼれ落ちることを防止することができると共に、下部バック用ウェザストリップ７３が大きく変形したままとなることを防止することができ、図１３に示すように、下部バック用ウェザストリップ７３と下部ミドル用ウェザストリップ６３との接合を確実に行うことができる。
【００８２】
また、前記受け皿部材８１は下部バック用ウェザストリップ７３から突出するスタッドボルト７５３，７５３を介してネジ締結されているため、そのネジ締結を解除することで該受け皿部材８１を容易に交換することができる。
【００８３】
さらに、該スタッドボルト７５３，７５３に取り付けることができる形状であれば、任意の受け皿部材８１を取り付けることができるため、インサートパネル７５、ひいてはバック用ウェザストリップ７の汎用性を向上させることができる。
【００８４】
尚、前記実施形態１では、インサートパネル７５にスタッドボルト７５３，７５３を溶接し、該スタッドボルト７５３，７５３を介して受け皿部材８１がインサートパネル７５にネジ締結されているが、これに限られるものではない。すなわち、インサートパネル７５に溶接ナットを設け、インサートパネル７５と受け皿部材８１のフランジ部８１ａとを該溶接ナットにボルトを螺合させることでネジ締結するように構成してもよい。又はインサートパネルにネジ穴をタッピングして、インサートパネル７５と受け皿部材８１のフランジ部８１ａとをネジ締結するように構成してもよい。つまり、インサートパネル７５と受け皿部材８１のフランジ部８１ａとをネジ締結することができる構成であれば、任意の構成を採用することができる。
【００８５】
また、前記インサートパネル７５は、樹脂製であってもよい。
【００８６】
《発明の実施形態２》
次に、本発明の実施形態２に係るリトラクタブルルーフ２について説明する。実施形態２は、排水ホース８の下部バック用ウェザストリップ７３への取付構造が実施形態１と異なる。そこで、実施形態１と同様の構成については同様の符号を付し、説明を省略する。
【００８７】
図２０〜２２に実施形態２に係る排水ホース８の取付構造を示す。
【００８８】
本実施形態２に係るインサートパネル７５Ｂには、受け皿部材８１Ｂが嵌合する嵌合孔７５７，７５７，…（図２１にのみ図示）が形成されている。一方、受け皿部材８１Ｂの開口縁部には、実施形態１に係る受け皿部材８１のようにフランジ部が設けられておらず、嵌合孔７５７，７５７，…及び貫通孔７５２と嵌合する複数の嵌合爪部８１ｂ，８１ｂ，…が形成されている。
【００８９】
つまり、受け皿部材８１Ｂは、嵌合爪部８１ｂ，８１ｂ，…をインサートパネル７５Ｂの嵌合孔７５７，７５７，…及び貫通孔７５２とに嵌合させることで、インサートパネル７５Ｂに取り付けられている。すなわち、嵌合孔７５７，７５７，…及び貫通孔７５２が被嵌合部に相当する。
【００９０】
そして、下部バック用ウェザストリップ７３の端部を成型する成形型内に、前記受け皿部材８１Ｂが取り付けられたインサートパネル７５Ｂをインサートして下部バック用ウェザストリップ７３を成形することで、下部バック用ウェザストリップ７３がインサートパネル７５Ｂ及び受け皿部材８１Ｂと一体に成形される。尚、受け皿部材８１Ｂは、金属製であっても樹脂製であってもよい。
【００９１】
こうして成形された下部バック用ウェザストリップ７３の車室内側面には、図２２に示すように、受け皿部材８１Ｂが突出して設けられている。この受け皿部材８１Ｂの接続管部８３に排水ホース８の上流端が接続される。
【００９２】
したがって、本実施形態２によれば、実施形態１と同様に、バックウインドウ２３の開閉動作に伴って排水ホース８が変形及び移動しても、排水ホース８からの反力を該インサートパネル７５Ｂで受け止めることができ、下部バック用ウェザストリップ７３が過度に変形することを防止することができる。
【００９３】
その結果、バックウインドウ２３が開閉動作するときに下部バック用ウェザストリップ７３の端部が大きく変形して、バック用排水溝７３３内に残留している水が車室内にこぼれ落ちることを防止することができると共に、下部バック用ウェザストリップ７３が大きく変形したままとなることを防止することができ、図２０に示すように、下部バック用ウェザストリップ７３と下部ミドル用ウェザストリップ６３との接合を確実に行うことができる。
【００９４】
また、受け皿部材８１Ｂは、嵌合爪部８１ｂ，８１ｂ，…をインサートパネル７５Ｂの嵌合孔７５７，７５７，…及び貫通孔７５２に嵌合させることでインサートパネル７５Ｂに取り付けているため、ネジ締結する構成と比較して容易に取り付けることができる。さらに、受け皿部材８１Ｂは、下部バック用ウェザストリップ７３に一体成形されているため、バックウインドウ２３やバック用ウェザストリップ７を組み立てるときに、受け皿部材８１Ｂを下部バック用ウェザストリップ７３に取り付ける作業が不要となり、組立性を向上させることができる。
【００９５】
尚、前記実施形態２では、受け皿部材８１Ｂの複数の嵌合爪部８１ｂ，８１ｂ，…をインサートパネル７５Ｂの嵌合孔７５７，７５７，…及び貫通孔７５２に嵌合させているが、これに限られるものではない。例えば、インサートパネル７５Ｂに、貫通孔７５２を囲む程度の大きさを有する取付開口を設け、該取付開口に複数の嵌合爪部８１ｂ，８１ｂ，…を嵌合させるようにしてもよい。つまり、受け皿部材８１Ｂをインサートパネル７５Ｂに嵌合させることができる構成であれば、任意の構成を採用することができる。
【００９６】
また、前記インサートパネル７５Ｂは、金属製又は樹脂製のどちらであってもよい。
【００９７】
《発明の実施形態３》
次に、本発明の実施形態３に係るリトラクタブルルーフ２について説明する。実施形態３は、排水ホース８の下部バック用ウェザストリップ７３への取付構造が実施形態１と異なる。そこで、実施形態１と同様の構成については同様の符号を付し、説明を省略する。
【００９８】
図２３に実施形態３に係る排水ホース８の取付構造を示す。
【００９９】
本実施形態３に係るインサートパネル７５Ｃには、受け皿部材８１Ｃが一体成形されている。このインサートパネル７５Ｃ及び受け皿部材８１Ｃは、高剛性且つ耐熱性を有する樹脂又は金属で成形されている。
【０１００】
そして、下部バック用ウェザストリップ７３の端部を成型する成形型内に、前記インサートパネル７５Ｃ及び受け皿部材８１Ｃをインサートして下部バック用ウェザストリップ７３を成形することで、下部バック用ウェザストリップ７３がインサートパネル７５Ｃ及び受け皿部材８１Ｃと一体に成形される。
【０１０１】
こうして成形された下部バック用ウェザストリップ７３の車室内側面には、受け皿部材８１Ｃが突出して設けられている。この受け皿部材８１Ｃの接続管部８３に排水ホース８の上流端が接続される。下部バック用ウェザストリップ７３の外観は、図２２に示す実施形態２と同様である。
【０１０２】
したがって、本実施形態３によれば、実施形態１と同様に、バックウインドウ２３の開閉動作に伴って排水ホース８が変形及び移動しても、排水ホース８からの反力を該インサートパネル７５Ｂで受け止めることができ、下部バック用ウェザストリップ７３が過度に変形することを防止することができる。
【０１０３】
その結果、バックウインドウ２３が開閉動作するときに下部バック用ウェザストリップ７３の端部が大きく変形して、バック用排水溝７３３内に残留している水が車室内にこぼれ落ちることを防止することができると共に、下部バック用ウェザストリップ７３が大きく変形したままとなることを防止することができ、図２３に示すように、下部バック用ウェザストリップ７３と下部ミドル用ウェザストリップ６３との接合を確実に行うことができる。
【０１０４】
また、受け皿部材８１Ｃはインサートパネル７５Ｃと一体成形されているため、受け皿部材８１Ｃとインサートパネル７５Ｃとの接続強度を向上させることができる。
【０１０５】
さらに、受け皿部材８１Ｃとインサートパネル７５Ｃとが一体成形されているため、下部バック用ウェザストリップ７３を成形するときに、受け皿部材８１Ｃをインサートパネル７５Ｃに取り付ける作業が不要となり、作業性を向上させることができる。
【０１０６】
《その他の実施形態》
本発明は、前記実施形態について、以下のような構成としてもよい。
【０１０７】
前記実施形態では、排水ホース８が下部バック用ウェザストリップ７３の端部に接続されているが、これに限られるものではない。すなわち、排水ホース８がウェザストリップに接続される構成であれば、排水ホース８はウェザストリップのどこに接続されていてもよい。かかる場合には、ウェザストリップのうち、排水ホース８が接続される部分に、インサートパネルを内蔵し、該インサートパネルに受け皿部材８１を取り付け、又は一体成形するように構成すればよい。
【産業上の利用可能性】
【０１０８】
以上説明したように、本発明は、可動式のルーフ部材に設けられたウェザストリップに接続される排水ホースの接続構造について有用である。
【図面の簡単な説明】
【０１０９】
【図１】本発明に係るリトラクタブルルーフを使用位置にした状態の車両の側面図である。
【図２】リトラクタブルルーフを格納位置にした状態の車両の側面図である。
【図３】使用位置におけるリトラクタブルルーフのリンク機構を示す側面図である。
【図４】リンク機構の分解斜視図である。
【図５】使用位置と格納位置との間の位置におけるリトラクタブルルーフのリンク機構を示す側面図である。
【図６】使用位置と格納位置との間の位置におけるリトラクタブルルーフのリンク機構を示す側面図である。
【図７】格納位置におけるリトラクタブルルーフのリンク機構を示す側面図である。
【図８】リトラクタブルルーフを使用位置にした状態の車両の斜め後方から見た斜視図である。
【図９】バックウインドウ及びミドルルーフパネルの下端縁ウェザストリップを斜め後方から見た斜視図である。
【図１０】図９のＸ−Ｘ線における断面図である。
【図１１】図９のXI−XI線における断面図である。
【図１２】下部バック用ウェザストリップの端部を車室外側から見た拡大斜視図である。
【図１３】図９のXIII−XIII線における断面図である。
【図１４】下部バック用ウェザストリップの端部を車室内側から見た拡大斜視図である。
【図１５】下部バック用ウェザストリップに排水ホースを取り付けた状態の図１４に対応する図である。
【図１６】リトラクタブルルーフを使用位置にした状態のバックウインドウ及びリアサイドトリムを示す背面図である。
【図１７】リトラクタブルルーフを使用位置にした状態のバックウインドウ及びリアサイドトリムを示す側面図である。
【図１８】排水ホースと車両側排水部との接続構造を示す断面図である。
【図１９】リトラクタブルルーフを格納位置にした状態のバックウインドウ及びリアサイドトリムを示す側面図である。
【図２０】実施形態２に係る排水ホースとウェザストリップとの接続構造を示す図１３に対応する断面図である。
【図２１】実施形態２に係る下部バック用ウェザストリップの端部を示す図１２に対応する図である。
【図２２】実施形態２に係る排水ホースとウェザストリップとの接続構造を示す図１５に対応する図である。
【図２３】実施形態３に係る排水ホースとウェザストリップとの接続構造を示す図１３に対応する断面図である。
【符号の説明】
【０１１０】
１３    車室
２      リトラクタブルルーフ（ルーフ部材）
２１    フロントルーフパネル（ルーフ部材）
２３    バックウインドウ（ルーフ部材）
２４    ミドルルーフパネル（ルーフ部材）
７３    下部バック用ウェザストリップ（ウェザストリップ）
７３３  バック用排水溝（排水溝）
７５，７５Ｂ，７５Ｃ  インサートパネル
７５２  貫通孔（被嵌合部）
７５７  嵌合孔（被嵌合部）
８      排水ホース
８１，８１Ｂ，８１Ｃ  受け皿部材（ホース接続部）
【図１】
2007331680.tif 000003
【図２】
2007331680.tif 000004
【図３】
2007331680.tif 000005
【図４】
2007331680.tif 000006
【図５】
2007331680.tif 000007
【図６】
2007331680.tif 000008
【図７】
2007331680.tif 000009
【図８】
2007331680.tif 000010
【図９】
2007331680.tif 000011
【図１０】
2007331680.tif 000012
【図１１】
2007331680.tif 000013
【図１２】
2007331680.tif 000014
【図１３】
2007331680.tif 000015
【図１４】
2007331680.tif 000016
【図１５】
2007331680.tif 000017
【図１６】
2007331680.tif 000018
【図１７】
2007331680.tif 000019
【図１８】
2007331680.tif 000020
【図１９】
2007331680.tif 000021
【図２０】
2007331680.tif 000022
【図２１】
2007331680.tif 000023
【図２２】
2007331680.tif 000024
【図２３】
2007331680.tif 000025